(57)【要約】【課題】不必要な接続に阻害されることなく、即座に接続を確立することができ、ユーザー利便性の高い無線通信装置、等を提供する。【解決手段】端末装置と無線通信を行う無線通信装置が、外部アクセスポイントと接続して無線通信を行う本接続制御部と、内部アクセスポイントを介して前記端末装置と接続し、当該接続による無線通信で前記端末装置から前記外部アクセスポイントの接続設定情報を受信する仮接続制御部と、を備え、前記内部アクセスポイントの識別情報は、第１文字列と第２文字列を含み、前記仮接続制御部は、所定の条件が成立した時に、前記識別情報の第２文字列を変更する。【選択図】  図２
2018088572.tif 000002
【特許請求の範囲】
【請求項１】
端末装置と無線通信を行う無線通信装置であって、
外部アクセスポイントと接続して無線通信を行う本接続制御部と、
内部アクセスポイントを介して前記端末装置と接続し、当該接続による無線通信で前記
端末装置から前記外部アクセスポイントの接続設定情報を受信する仮接続制御部と、を備
え、
前記内部アクセスポイントの識別情報は、第１文字列と第２文字列を含み、
前記仮接続制御部は、所定の条件が成立した時に、前記識別情報の第２文字列を変更す
る
ことを特徴とする無線通信装置。
【請求項２】
請求項１において、
前記仮接続制御部は、前記端末装置と接続した後、認証情報を報知し、
前記所定の条件は、前記仮接続制御部が前記端末装置から前記認証情報を受信しないこ
とを含む
ことを特徴とする無線通信装置。
【請求項３】
請求項２において、
前記所定の条件は、前記仮接続制御部が前記端末装置から前記認証情報を受信した場合
、前記仮接続制御部が前記端末装置と接続した以降の所定時点から所定時間内に、前記仮
接続制御部が前記端末装置から前記接続設定情報を受信しないことを含む
ことを特徴とする無線通信装置。
【請求項４】
請求項１から３のいずれかにおいて、
当該無線通信装置は、プリンターである
ことを特徴とする無線通信装置。
【請求項５】
無線通信装置と無線通信を行う無線通信端末であって、
前記無線通信装置の外部にある外部アクセスポイントと接続して無線通信を行う本接続
制御部と、
前記無線通信装置の内部アクセスポイントと接続し、当該接続による無線通信で前記外
部アクセスポイントの接続設定情報を送信する仮接続制御部と、を備え、
前記内部アクセスポイントの識別情報は、第１文字列と第２文字列を含み、
前記仮接続制御部は、前記第１文字列を含む前記識別情報を検知すると、当該識別情報
を用いて前記無線通信装置と接続する
ことを特徴とする無線通信端末。
【請求項６】
請求項５において、
前記仮接続制御部は、前記内部アクセスポイントと接続した後、入力される認証情報を
前記無線通信装置へ送信する
ことを特徴とする無線通信端末。
【請求項７】
請求項５あるいは６において、
前記内部アクセスポイントの識別情報の第２文字列は変更される
ことを特徴とする無線通信端末。
【請求項８】
互いに無線通信を行う無線通信装置と無線通信端末を有する無線通信システムであって
、
前記無線通信装置は、
外部アクセスポイントと接続して無線通信を行う第１本接続制御部と、
内部アクセスポイントを介して前記無線通信端末と接続し、当該接続による無線通信で
前記無線通信端末から前記外部アクセスポイントの接続設定情報を受信する第１仮接続制
御部と、を備え、
前記無線通信端末は、
前記外部アクセスポイントと接続して無線通信を行う第２本接続制御部と、
前記内部アクセスポイントと接続し、当該接続による無線通信で前記外部アクセスポイ
ントの接続設定情報を送信する第２仮接続制御部と、を備え、
前記内部アクセスポイントの識別情報は、第１文字列と第２文字列を含み、
前記第１仮接続制御部は、所定の条件が成立した時に、前記識別情報の第２文字列を変
更し、
前記第２仮接続制御部は、前記第１文字列を含む前記識別情報を検知すると、当該識別
情報を用いて前記無線通信装置と接続する
ことを特徴とする無線通信システム。
【請求項９】
端末装置と無線通信を行う無線通信装置における無線通信方法であって、
内部アクセスポイントを介して前記端末装置と接続し、当該接続による無線通信で前記
端末装置から外部アクセスポイントの接続設定情報を受信し、
前記接続設定情報を用いて前記外部アクセスポイントと接続し、
所定の条件が成立した時に、第１文字列と第２文字列を含む前記内部アクセスポイント
の識別情報の、前記第２文字列を変更する
ことを特徴とする無線通信方法。
【請求項１０】
無線通信装置と無線通信を行う無線通信端末における無線通信方法であって、
前記無線通信装置の内部アクセスポイントと接続し、当該接続による無線通信で外部ア
クセスポイントの接続設定情報を送信し、
前記外部アクセスポイントと接続し、
前記内部アクセスポイントとの接続の際には、第１文字列と第２文字列を含む前記内部
アクセスポイントの識別情報の、前記第１文字列を含む前記識別情報を検知すると、当該
識別情報を用いて前記無線通信装置と接続する
ことを特徴とする無線通信方法。
【請求項１１】
無線通信装置と無線通信を行う無線通信端末に、
前記無線通信装置の内部アクセスポイントと接続し、当該接続による無線通信で外部ア
クセスポイントの接続設定情報を送信する工程と、
第１文字列と第２文字列を含む前記内部アクセスポイントの識別情報の、前記第１文字
列を含む前記識別情報を検知すると、当該識別情報を用いて前記無線通信装置と接続する
工程と、を実行させる
ことを特徴とする無線通信プログラム。
【発明の詳細な説明】
【技術分野】
【０００１】
本発明は、不必要な接続に阻害されることなく、即座に接続を確立することができ、ユ
ーザー利便性の高い無線通信装置等に関する。
【背景技術】
【０００２】
従来、パーソナルコンピューターなどの端末装置とプリンターなどの電子機器を無線通
信で接続して使用することが普及している。このような機器間の無線通信は、通常、外部
アクセスポイントを介して行われるのが一般的であるが、そのような接続（本接続）を容
易に確立するために、まず、当該機器間で直接無線通信を接続する仮接続を行うことが知
られている。
【０００３】
この仮接続は、容易に接続されることが肝要であるため、通常、機器間で一旦接続が確
立すると、それ以降は機器が自動的にその通信相手と接続するように構成されている。一
方、このような機器では、同時に無線通信できる機器数が有限である。従って、仮接続が
不要になった通信相手と接続が継続されることにより、本接続のために仮接続が必要な通
信相手と接続が確立されない、という事態が発生する虞がある。
【０００４】
かかる課題に関連して、下記特許文献１では、正規な接続情報（ＰＩＮコード）のほか
にテンポラリーな接続情報（ＰＩＮコード）を設ける技術が開示されている。
【先行技術文献】
【特許文献】
【０００５】
【特許文献１】特開２００７−２２８４１９号公報
【発明の概要】
【発明が解決しようとする課題】
【０００６】
しかしながら、上記特許文献１に記載の方法では、テンポラリーな接続情報（ＰＩＮコ
ード）に有効期限（例えば、一日など）等を定義して接続情報が削除されるように構成す
ることにより上記課題に対応しているものの、新たに接続する際にユーザーは新たな接続
情報を入力する必要があり、また、上記有効期限の長さによっては不必要な接続がすぐに
切断されず必要な接続に迅速に対応できないことも起こり得る。
【０００７】
そこで、本発明の目的は、不必要な接続に阻害されることなく、即座に接続を確立する
ことができ、ユーザー利便性の高い無線通信装置、等を提供することである。
【課題を解決するための手段】
【０００８】
上記の目的を達成するために、本発明の一つの側面は、端末装置と無線通信を行う無線
通信装置が、外部アクセスポイントと接続して無線通信を行う本接続制御部と、内部アク
セスポイントを介して前記端末装置と接続し、当該接続による無線通信で前記端末装置か
ら前記外部アクセスポイントの接続設定情報を受信する仮接続制御部と、を備え、前記内
部アクセスポイントの識別情報は、第１文字列と第２文字列を含み、前記仮接続制御部は
、所定の条件が成立した時に、前記識別情報の第２文字列を変更する、ことである。
【０００９】
当該側面により、不要な仮接続を切断して、仮接続が必要な端末装置との接続が行える
ようにできる。
【００１０】
更に、上記発明において、その好ましい一つの態様は、前記仮接続制御部は、前記端末
装置と接続した後、認証情報をユーザーに報知し、前記所定の条件は、前記端末装置から
前記認証情報を受信しないことを含む、ことを特徴とする。
【００１１】
当該態様により、接続することを意識していないユーザーの端末装置との仮接続を切断
し、必要な仮接続を行えるようにできる。
【００１２】
更に、上記発明において、その好ましい一つの態様は、前記所定の条件は、前記仮接続
制御部が前記端末装置から前記認証情報を受信した場合、前記仮接続制御部が前記端末装
置と接続した以降の所定時点から所定時間内に、前記仮接続制御部が前記端末装置から前
記接続設定情報を受信しないことを含む、ことを特徴とする。
【００１３】
当該態様により、端末装置のバッテリーが切れるなどのトラブル時にも対応できる。
【００１４】
更に、上記発明において、その一つの好ましい態様は、当該無線通信装置は、プリンタ
ーである、ことを特徴とする。
【００１５】
当該態様により、端末装置からの印刷を素早く行うことができるようになる。
【００１６】
上記の目的を達成するために、本発明の別の側面は、無線通信装置と無線通信を行う無
線通信端末が、前記無線通信装置の外部にある外部アクセスポイントと接続して無線通信
を行う本接続制御部と、前記無線通信装置の内部アクセスポイントと接続し、当該接続に
よる無線通信で前記外部アクセスポイントの接続設定情報を送信する仮接続制御部と、を
備え、前記内部アクセスポイントの識別情報は、第１文字列と第２文字列を含み、前記仮
接続制御部は、前記第１文字列を含む前記識別情報を検知すると、当該識別情報を用いて
前記無線通信装置と接続する、ことである。
【００１７】
当該側面により、無線通信装置との本接続を素早く確実に行えるようにできる。また、
その際のユーザー利便性を向上できる。
【００１８】
更に、上記発明において、その一つの好ましい態様は、前記仮接続制御部は、前記内部
アクセスポイントと接続した後、入力される認証情報を前記無線通信装置へ送信する、こ
とを特徴とする。
【００１９】
当該態様により、無線通信装置における無駄な仮接続を切断することができるようにな
る。
【００２０】
更に、上記発明において、その一つの好ましい態様は、前記内部アクセスポイントの識
別情報の第２文字列は変更される、ことを特徴とする。
【００２１】
当該態様により、無線通信装置における無駄な仮接続を切断することができるようにな
る。
【００２２】
上記の目的を達成するために、本発明の別の側面は、互いに無線通信を行う無線通信装
置と無線通信端末を有する無線通信システムにおいて、前記無線通信装置は、外部アクセ
スポイントと接続して無線通信を行う第１本接続制御部と、内部アクセスポイントを介し
て前記無線通信端末と接続し、当該接続による無線通信で前記無線通信端末から前記外部
アクセスポイントの接続設定情報を受信する第１仮接続制御部と、を備え、前記無線通信
端末は、前記外部アクセスポイントと接続して無線通信を行う第２本接続制御部と、前記
内部アクセスポイントと接続し、当該接続による無線通信で前記外部アクセスポイントの
接続設定情報を送信する第２仮接続制御部と、を備え、前記内部アクセスポイントの識別
情報は、第１文字列と第２文字列を含み、前記第１仮接続制御部は、所定の条件が成立し
た時に、前記識別情報の第２文字列を変更し、前記第２仮接続制御部は、前記第１文字列
を含む前記識別情報を検知すると、当該識別情報を用いて前記無線通信装置と接続する、
ことである。
【００２３】
当該側面により、無線通信装置における無駄な仮接続を切断し、無線通信端末との必要
な仮接続を確立できるようになる。これにより、素早く無線通信端末と無線通信装置との
本接続を確立できる。また、その際のユーザー利便性を向上できる。
【００２４】
上記の目的を達成するために、本発明の別の側面は、端末装置と無線通信を行う無線通
信装置における無線通信方法において、内部アクセスポイントを介して前記端末装置と接
続し、当該接続による無線通信で前記端末装置から外部アクセスポイントの接続設定情報
を受信し、前記接続設定情報を用いて前記外部アクセスポイントと接続し、所定の条件が
成立した時に、第１文字列と第２文字列を含む前記内部アクセスポイントの識別情報の、
前記第２文字列を変更する、ことである。
【００２５】
上記の目的を達成するために、本発明の別の側面は、無線通信装置と無線通信を行う無
線通信端末における無線通信方法において、前記無線通信装置の内部アクセスポイントと
接続し、当該接続による無線通信で外部アクセスポイントの接続設定情報を送信し、前記
外部アクセスポイントと接続し、前記内部アクセスポイントとの接続の際には、第１文字
列と第２文字列を含む前記内部アクセスポイントの識別情報の、前記第１文字列を含む前
記識別情報を検知すると、当該識別情報を用いて前記無線通信装置と接続する、ことであ
る。
【００２６】
上記の目的を達成するために、本発明の別の側面は、無線通信装置と無線通信を行う無
線通信端末に、前記無線通信装置の内部アクセスポイントと接続し、当該接続による無線
通信で外部アクセスポイントの接続設定情報を送信する工程と、第１文字列と第２文字列
を含む前記内部アクセスポイントの識別情報の、前記第１文字列を含む前記識別情報を検
知すると、当該識別情報を用いて前記無線通信装置と接続する工程と、を実行させる無線
通信プログラムにある。
【００２７】
本発明の更なる目的及び、特徴は、以下に説明する発明の実施の形態から明らかになる
。
【図面の簡単な説明】
【００２８】
【図１】本発明を適用した無線通信システムの模式図である。
【図２】本発明を適用した無線通信システムの機能構成図である。
【図３】本無線通信システム１００における無線通信の接続処理の手順を例示したフローチャートである。
【発明を実施するための形態】
【００２９】
以下、図面を参照して本発明の実施の形態例を説明する。しかしながら、かかる実施の
形態例が、本発明の技術的範囲を限定するものではない。なお、図において、同一又は類
似のものには同一の参照番号又は参照記号を付して説明する。
【００３０】
図１は、本発明を適用した無線通信システムの模式図である。また、図２は、本発明を
適用した無線通信システムの機能構成図である。図２に示す無線通信システム１００が本
発明を適用した無線通信システムであり、端末装置１（無線通信端末）及びプリンター２
（無線通信装置）を備える。本無線通信システム１００では、端末装置１がプリンター２
の内部ＡＰ（アクセスポイント）に固定部と可変部を持つＳＳＩＤ（Ｓｅｒｖｉｃｅ  Ｓ
ｅｔ  Ｉｄｅｎｔｉｆｉｅｒ）（以降、仮ＳＳＩＤと称す）で接続された際に、プリンタ
ー２が認証情報（例えば、ＰＩＮコード）を発行（表示）する。その後、所定時間内にそ
の認証情報が端末装置１からプリンター２へ送信されないなどの所定の条件が満たされた
場合には、プリンター２が仮ＳＳＩＤの可変部を変更する。また、端末装置１の仮接続制
御部１２２は、仮ＳＳＩＤの固定部が含まれるビーコンを検知すると、その仮ＳＳＩＤと
記憶している仮ＳＳＩＤの可変部が異なっていてもプリンター２と接続を行う。
【００３１】
このような処理が実行されることにより、本無線通信システム１００では、プリンター
２との内部ＡＰを介した自動接続による（ユーザーが意識していない）不要な接続を切断
し、必要な接続（ユーザーが意識して要求している接続）が容易に確立できるようにする
。
【００３２】
図１及び図２に示されるように、端末装置１とプリンター２は、無線接続されて通信を
行う。すなわち、両者は無線通信を行う。この無線通信では、外部アクセスポイントであ
るＡＰ３を介した無線接続（図１及び図２における無線接続（１）及び無線接続（３））
が行われて、端末装置１からプリンター２への印刷要求などの通信が実行される。かかる
ＡＰ３を介した無線接続をここでは本接続と称す。
【００３３】
また、端末装置１とプリンター２は、直接、両装置間で無線接続（図１及び図２におけ
る無線接続（２））を行う機能を備える。かかる無線接続（２）は、プリンター２内に起
動される内部ＡＰ（アクセスポイント）を用いて行われる。この無線接続（２）は、端末
装置１とプリンター２が本接続するための情報を通信するために用いられ、ここでは仮接
続と称す。
【００３４】
端末装置１は、無線通信機能を備えた、いわゆるパーソナルコンピューター、スマート
フォンなどの無線通信端末であり、プリンター２に対して印刷要求を行うプリンター２の
ホスト装置である。端末装置１は、図２に示されるように、機能構成として、無線Ｉ／Ｆ
部１１、接続制御部１２、及び、設定情報記憶部１３を備える。
【００３５】
無線Ｉ／Ｆ部１１は、他の無線通信機器とＷｉ−Ｆｉ  Ｄｉｒｅｃｔなどに準拠して通
信するための無線ＬＡＮインターフェースであり、受信した無線信号をプロトコルに従っ
て変換して内部バスに送出し、内部バスから取り込んだ信号をプロトコルに従って変換し
て無線信号として送出する。無線Ｉ／Ｆ部１１は、アンテナ、電子回路、メモリー等を備
える。
【００３６】
接続制御部１２は、上述した本接続及び仮接続の制御を行う。図２に示されるように、
接続制御部１２は、本接続の制御を行う本接続制御部１２１と仮接続の制御を行う仮接続
制御部１２２を備える。本接続制御部１２１は、設定情報記憶部１３に記憶されたＡＰ３
の接続設定情報（ＡＰ３のＳＳＩＤ、セキュリティー方式、パスワードなど）を用いてＡ
Ｐ３との無線通信の接続／切断を制御する。なお、本接続制御部１２１は、ＯＳ（オペレ
ーティングシステム）などのソフトウェア、当該ソフトウェアに従って動作するＣＰＵ、
ＲＡＭ等で構成される。
【００３７】
仮接続制御部１２２は、設定情報記憶部１３に記憶されたプリンター２の内部ＡＰの接
続設定情報（仮ＳＳＩＤなど）を用いてプリンター２との無線通信の接続／切断を制御す
る。なお、仮接続制御部１２２は、アプリケーションプログラム（無線通信プログラム）
などのソフトウェア、当該ソフトウェアに従って動作するＣＰＵ、ＲＡＭ等で構成される
。また、当該アプリケーションプログラムは、プリンター２の製造元等により製作され、
インターネットなどの通信や、ＣＤなどの記憶媒体を介して、端末装置１にインストール
される。
【００３８】
設定情報記憶部１３は、上述した無線接続のための接続設定情報を記憶するハードディ
スクやメモリーカードなどの記憶装置である。具体的には、設定情報記憶部１３は、ＡＰ
３の接続設定情報（ＳＳＩＤ、セキュリティー方式、パスワードなど）と、プリンター２
の内部ＡＰの接続設定情報（仮ＳＳＩＤなど）を記憶する。
【００３９】
ここで、仮ＳＳＩＤ（識別情報）は、第１文字列と第２文字列から構成される。第１文
字列は常に内容が変わらない固定部であり、第２文字列は所定のタイミングで内容が変更
される可変部である。例えば、仮ＳＳＩＤは、「ＥＰＳＯＮ−ＷｉＦｉＳｅｔｕｐ−ｘｘ
」とすることができ、この場合、「ＥＰＳＯＮ−ＷｉＦｉＳｅｔｕｐ−」が固定部（第１
文字列）であり、「ｘｘ」が可変部（第２文字列）である。従って、可変部の「ｘｘ」は
、所定のタイミングで変更される。
【００４０】
なお、無線接続が一旦確立すると、その接続設定情報はこの設定情報記憶部１３に記憶
され、端末装置１の接続制御部１２は、ＯＳの機能として、その接続設定情報の接続相手
が通信可能範囲内に入ると、その接続設定情報を用いて自動的に無線接続を行う。この場
合、端末装置１が検知するビーコンに含まれるＳＳＩＤと設定情報記憶部１３に記憶され
るＳＳＩＤが完全に一致した際に、接続が行われる。
【００４１】
また、仮ＳＳＩＤについては、上述したアプリケーションプログラムがインストールさ
れた際には、デフォルトの文字列（固定の第１文字列とデフォルト値の第２文字列）が設
定情報記憶部１３に記憶される。
【００４２】
プリンター２は、無線通信機能を備えた印刷装置である。従って、プリンター２は、無
線通信装置の一つである。図２に示されるように、プリンター２は、無線Ｉ／Ｆ部２１、
制御部２２、ユーザーＩ／Ｆ部２３、及び、印刷機構部２４を備える。
【００４３】
無線Ｉ／Ｆ部２１は、他の無線通信機器とＷｉ−Ｆｉ  Ｄｉｒｅｃｔなどに準拠して通
信するための無線ＬＡＮインターフェースであり、受信した無線信号をプロトコルに従っ
て変換して内部バスに送出し、内部バスから取り込んだ信号をプロトコルに従って変換し
て無線信号として送出する。無線Ｉ／Ｆ部２１は、アンテナ、電子回路、メモリー等を備
える。
【００４４】
制御部２２は、プリンター２の各部を制御するコントローラーである。制御部２２は、
端末装置１などのホスト装置から印刷要求を受信した際には、印刷機構部２４を制御して
用紙などの印刷媒体に印刷を実行させる。また、制御部２２は、無線Ｉ／Ｆ部２１を介し
た本接続及び仮接続の制御を行う。
【００４５】
図２に示されるように、制御部２２は、機能構成として、接続制御部２２２、設定情報
記憶部２２５、及び、印刷制御部２２６を備える。接続制御部２２２は、無線Ｉ／Ｆ部２
１を介した無線通信の接続を制御する。
【００４６】
接続制御部２２２は、図２に示されるように、本接続の制御を行う本接続制御部２２３
と仮接続の制御を行う仮接続制御部２２４を備える。本接続制御部２２３は、設定情報記
憶部２２５に記憶されたＡＰ３の接続設定情報（ＡＰ３のＳＳＩＤ、セキュリティー方式
、パスワードなど）を用いてＡＰ３との無線通信の接続／切断を制御する。なお、本接続
制御部２２３は、制御プログラム（ファームウェア）と当該プログラムに従って動作する
ＣＰＵ、ＲＡＭ等で構成される。
【００４７】
仮接続制御部２２４は、端末装置１など他の装置との仮接続による無線通信を制御する
。具体的には、仮接続制御部２２４は、仮接続の際に、内部ＡＰを起動し、その内部ＡＰ
の仮ＳＳＩＤを発信する（仮ＳＳＩＤを含むビーコンを配信する）。また、仮接続制御部
２２４は、仮接続が確立すると、認証情報（ＰＩＮ（Ｐｅｒｓｏｎａｌ  Ｉｄｅｎｔｉｆ
ｉｃａｔｉｏｎ  Ｎｕｍｂｅｒ）コード）をユーザーＩ／Ｆ部２３に表示し、その後、所
定の条件が成立すると仮ＳＳＩＤの可変部を変更する。なお、仮接続制御部２２４は、制
御プログラム（ファームウェア）と当該プログラムに従って動作するＣＰＵ、ＲＡＭ等で
構成される。
【００４８】
設定情報記憶部２２５は、無線接続のための接続設定情報を記憶する不揮発性メモリー
などの記憶装置である。具体的には、設定情報記憶部２２５は、ＡＰ３の接続設定情報（
ＳＳＩＤ、セキュリティー方式、パスワードなど）と、内部ＡＰの接続設定情報（仮ＳＳ
ＩＤなど）を記憶する。
【００４９】
印刷制御部２２６は、端末装置１などのホスト装置から受信した印刷データに従って印
刷処理を実行させる制御部である。印刷制御部２２６は、印刷データのコマンドに従って
印刷機構部２４を制御し、印刷媒体に印刷を行わせる。なお、印刷制御部２２６は、制御
プログラム（ファームウェア）、制御プログラムに従って処理を実行するＣＰＵ、ＲＡＭ
、ＲＯＭ、ＡＳＩＣ（Application Specific Integrated Circuit）などを備える。
【００５０】
ユーザーＩ／Ｆ部２３は、プリンター２のユーザーインターフェースであり、ボタン等
の操作装置、液晶ディスプレイなどの表示装置等を備える。
【００５１】
印刷機構部２４は、印刷制御部２２６の指示に従って印刷媒体（用紙など）に印刷を行
う。印刷機構部２４は、印刷ヘッド、印刷媒体の搬送装置などを備える。
【００５２】
以上のような構成を備える本実施の形態例に係る無線通信システム１００では、無線通
信の接続処理に特徴があり、以下、その処理内容について説明する。
【００５３】
図３は、本無線通信システム１００における無線通信の接続処理の手順を例示したフロ
ーチャートである。以下、図３に基づいて説明するが、その説明では、端末装置１は、Ａ
Ｐ３との無線接続（１）が過去に確立しており、ＡＰ３の接続設定情報が、設定情報記憶
部１３に記憶されているものとする。また、プリンター２は、ＡＰ３の接続設定情報を設
定情報記憶部２２５に記憶していない状態であると想定する。このような状態において、
端末装置１が、プリンター２との本接続を行う場合の処理を、以下に説明する。なお、合
わせて、プリンター２と過去に仮接続されたことのある、端末装置１以外の端末装置に対
するプリンター２の処理内容についても説明する。
【００５４】
まず、プリンター２との本接続を行おうとするユーザーは、端末装置１の仮接続制御部
１２２とプリンター２の仮接続制御部２２４を起動する（図３のステップＳ１及びステッ
プＳ２１）。具体的には、ユーザーは、端末装置１にインストールされた仮接続制御部１
２２のアプリケーションプログラムを起動し、無線接続の要求操作を実行する。また、ユ
ーザーは、プリンター２のユーザーＩ／Ｆ部２３を操作して内部ＡＰを起動させる。
【００５５】
次に、端末装置１では、起動した仮接続制御部１２２が無線Ｉ／Ｆ部を介して仮ＳＳＩ
Ｄの探索を開始する（図３のステップＳ２）。一方、プリンター２は、仮接続制御部２２
４が仮ＳＳＩＤを含むビーコンを発信（配信）する（図３のステップＳ２２）。
【００５６】
その後、端末装置１の仮接続制御部１２２は、設定情報記憶部１３に記憶される仮ＳＳ
ＩＤとその固定部が一致する仮ＳＳＩＤが検知（発見）されるのを待ち（図３のステップ
Ｓ３のＮｏ）、そのような仮ＳＳＩＤが検知されると（図３のステップＳ３のＹｅｓ）、
取得した仮ＳＳＩＤを用いて接続要求を行う（図３のステップＳ４）。
【００５７】
一方、プリンター２の仮接続制御部２２４は、接続要求が受信されるのを待ち（図３の
ステップＳ２３のＮｏ）、接続要求が受信されると（図３のステップＳ２３のＹｅｓ）、
今回の仮接続を行っても、その時点の仮接続の数（仮接続が確立している外部装置の数）
が制限数以内であるか否かを確認する（図３のステップＳ２４）。制限数は予め定められ
ており、例えば、１とすることができる。
【００５８】
プリンター２の仮接続制御部２２４は、仮接続の数が制限数以内である場合には（図３
のステップＳ２４のＹｅｓ）、接続要求された端末装置１と仮接続を確立する（図３のス
テップＳ２５）。制限数が１の場合には、他の外部装置との仮接続が確立していない場合
に、端末装置１と仮接続が確立される。一方、仮接続の数が制限数以内でない場合には（
図３のステップＳ２４のＮｏ）、処理はステップＳ２２に戻り、他の外部装置との仮接続
が切断されるのを待つ。
【００５９】
プリンター２の仮接続制御部２２４は、仮接続が確立すると、ＰＩＮコード（認証情報
）をユーザーに報知する。具体的には、仮接続制御部２２４は、ＰＩＮコードをユーザー
Ｉ／Ｆ部に表示する（図３のステップＳ２６）。
【００６０】
一方、端末装置１では、仮接続制御部１１２が、仮接続の要求をした後、仮接続が確立
するのを待ち（図３のステップＳ５のＮｏ、ステップＳ２−Ｓ４）、仮接続が確立すると
（図３のステップＳ５のＹｅｓ）、ＰＩＮコードの入力を待つ（図３のステップＳ６）。
【００６１】
上記ユーザーは、本接続を行う意思があるので、プリンター２の仮接続制御部２２４が
表示した上記ＰＩＮコードを見て、そのＰＩＮコードを端末装置１に入力する。端末装置
１の仮接続制御部１２２は、仮接続が確立するとＰＩＮコードの入力を待つために、ＰＩ
Ｎコード入力用の画面を端末装置１の表示部（図示せず）に表示し、ユーザーはその画面
を用いて上記ＰＩＮコードの入力を行う。
【００６２】
何らかの理由により、所定時間、端末装置１にＰＩＮコードの入力がなされない場合に
は（図３のステップＳ６のＮｏ）、処理がステップＳ１０へ移行し、仮接続制御部１２２
は停止する。
【００６３】
一方、端末装置１にＰＩＮコードの入力がなされた場合には（図３のステップＳ６のＹ
ｅｓ）、仮接続制御部１２２は、当該入力されたＰＩＮコードを確立された仮接続を用い
て、プリンター２へ送信する。その後、仮接続制御部１２２は、設定情報記憶部１３に記
憶されるＡＰ３の接続設定情報を、仮接続（無線接続（２））を用いてプリンター２へ送
信する（図３のステップＳ７）。
【００６４】
その後、仮接続制御部１２２は、仮接続を切断する（図３のステップＳ８）。
【００６５】
次に、仮接続制御部１２２は、端末装置１の本接続制御部１２１に、本接続を要求し、
本接続制御部１２１は、無線Ｉ／Ｆ部１１を介してＡＰ３と本接続（無線接続（１））を
行う（図３のステップＳ９）。当該本接続では、設定情報記憶部１３に記憶されたＡＰ３
の接続設定情報が用いられる。
【００６６】
その後、仮接続制御部１２２は停止する（図３のステップＳ１０）。以上で、端末装置
１側の処理は終了する。
【００６７】
一方、プリンター２側では、ＰＩＮコードの表示後、所定の条件が満たされるか否かの
確認を行い、所定の条件が満たされない場合には、仮ＳＳＩＤを変更する処理を行う。
【００６８】
ここで、所定の条件とは、図３のステップＳ２７、Ｓ２８、及び、Ｓ２９に示される条
件であり、以下、仮ＳＳＩＤの変更処理について具体的に説明する。
【００６９】
プリンター２の仮接続制御部２２４は、ＰＩＮコードの表示後、ＰＩＮコードが仮接続
（無線通信（２））で受信されるか否かを確認する（図３のステップＳ２７）。ここで、
所定時間待ってもＰＩＮコードが受信されない場合には（図３のステップＳ２７のＮｏ）
、処理がステップＳ３１に移行し、仮ＳＳＩＤが変更される。従って、上記所定の条件の
一つは、所定時間の間にＰＩＮコードが受信されないことである。
【００７０】
一方、所定時間の間にＰＩＮコードが受信された場合には（図３のステップＳ２７のＹ
ｅｓ）、仮接続制御部２２４は、受信したＰＩＮコードが正しいか否かを確認する（図３
のステップＳ２８）。当該確認の結果、受信したＰＩＮコードが正しくなければ（図３の
ステップＳ２８のＮｏ）、処理がステップＳ３１に移行し、仮ＳＳＩＤが変更される。従
って、上記所定の条件の一つは、受信したＰＩＮコードが正しいＰＩＮコードでないこと
である。ここで、正しいＰＩＮコードとは、ステップＳ２６において仮接続制御部２２４
が表示したＰＩＮコードである。
【００７１】
一方、受信したＰＩＮコードが正しければ（図３のステップＳ２８のＹｅｓ）、仮接続
制御部２２４は、仮接続制御部２２４が端末装置１と接続した以降の所定時点から所定時
間内に、仮接続制御部２２４が端末装置１から仮接続（無線接続（２））を介してＡＰ３
の接続設定情報を受信したか否かを確認する（図３のステップＳ２９）。当該確認の結果
、ＡＰ３の接続設定情報が所定時間内に受信されなかった場合には（図３のステップＳ２
９のＮｏ）、処理がステップＳ３１に移行し、仮ＳＳＩＤが変更される。従って、上記所
定の条件の一つは、仮接続制御部２２４が端末装置１と接続してから所定時間の間にＡＰ
３の接続設定情報を受信しないことである。なお、上記所定時点は、仮接続制御部２２４
が端末装置１と接続した以降であれば、仮接続制御部２２４が端末装置１と接続した時点
であっても良いし、仮接続制御部２２４が、受信したＰＩＮコードが正しいと確認した時
点であっても良い。
【００７２】
一方、ＡＰ３の接続設定情報が所定時間内に受信された場合には（図３のステップＳ２
９のＹｅｓ）、仮接続制御部２２４は、受信したＡＰ３の接続設定情報を本接続制御部２
２３に渡し、本接続制御部２２３は、その接続設定情報を用いてＡＰ３と本接続（無線接
続（３））を行う（図３のステップＳ３０）。その後、処理はステップＳ２２に移行する
。なお、この場合において、ステップＳ２２に移行する代わりに、仮接続制御部２２４を
停止させるようにしてもよい。
【００７３】
処理がステップＳ３１に移行した場合には、上述の通り、仮接続制御部２２４は、仮Ｓ
ＳＩＤの変更処理を行う。具体的には、仮接続制御部２２４は、仮ＳＳＩＤの可変部を変
更する。例えば、仮ＳＳＩＤが「ＥＰＳＯＮ−ＷｉＦｉＳｅｔｕｐ−ｘｘ」であり、この
「ＥＰＳＯＮ−ＷｉＦｉＳｅｔｕｐ−」が固定部（第１文字列）であり、「ｘｘ」が可変
部（第２文字列）である場合、可変部の「ｘｘ」が変更される。例えば、「ｙｙ」に変更
される。当該変更処理の後、処理はステップＳ２２へ移行する。
【００７４】
この場合、変更前の仮ＳＳＩＤによって確立していた仮接続は切断され、変更後の仮Ｓ
ＳＩＤが発信されて、変更後の仮ＳＳＩＤによる新たな仮接続が行われるようになる。
【００７５】
端末装置１は、上述の通り、本接続を行おうとするユーザーにより操作されているので
、すなわち、ユーザーが仮接続したことを意識しているので、プリンター２に表示された
ＰＩＮコード（Ｓ２６）を間違うことなく端末装置１に入力すれば（Ｓ６のＹｅｓ）、処
理は、ステップＳ２７のＹｅｓ、ステップＳ２８のＹｅｓ、ステップＳ２９のＹｅｓと推
移して、上述した通り、本接続が行われる（Ｓ３０）。
【００７６】
また、端末装置１以外に、プリンター２と過去に仮接続が確立した端末装置（外部装置
）１Ａがプリンター２の無線接続可能範囲内に存在する場合、その装置のユーザーが意識
して仮接続制御部１２２Ａを起動しなくても、接続制御部１２ＡがＯＳの機能として自動
的にプリンター２と仮接続を行う。このような場合には、ユーザーは意識していないので
、ステップＳ２６で表示されるＰＩＮコードを端末装置１Ａに入力しない。従って、この
場合には、処理がステップＳ３１へ移行し、仮ＳＳＩＤが変更される。その後は、元の仮
ＳＳＩＤによる仮接続が切断され、当該端末装置１Ａでは、仮接続制御部１２２が起動さ
れていないので、ＳＳＩＤの完全一致により接続を行うＯＳの機能では、変更後の仮ＳＳ
ＩＤとの仮接続は行われない。従って、このようなユーザーが意識していない不要な仮接
続が切断される。
【００７７】
上述の通り、ユーザーが接続することを意識している場合には、仮接続制御部１２２が
起動しているので、仮ＳＳＩＤが変更されても、その固定部分は変わらないので仮接続が
行われる。従って、ユーザーが意識していない不要な仮接続のために、上述した数制限に
より、ユーザーが意識して本接続を行う端末装置１の仮接続ができなくても（Ｓ２４のＮ
ｏ）、図３に基づいて説明した処理により、上述の通り、不要な仮切断が切断され数制限
がクリアーされ、端末装置１は変更された仮ＳＳＩＤでも仮接続要求を出すので、ユーザ
ーが意識している必要な仮接続ができるようになる。
【００７８】
また、プリンター２と同様な機能を備える他のプリンターがプリンター２の周辺に存在
する場合、その他のプリンターが表示したＰＩＮコードをプリンター２に送信した場合に
も、図３のステップＳ２８の条件が満たされて、すなわち、端末装置１から送信されるＳ
ＳＩＤが正しくないので、仮ＳＳＩＤが変更されることになる。
【００７９】
また、端末装置１の電源が切れて、ＰＩＮコードの送信（Ｓ７）の後、ＡＰ３の接続設
定情報を送信できなかった場合などには、図３のステップＳ２９の条件が満たされて、す
なわち、プリンター２において接続設定情報が受信されないので、仮ＳＳＩＤが変更され
ることになる。
【００８０】
以上説明したように、本実施の形態例に係る無線通信システム１００では、プリンター
２が仮接続を行った後に所定の条件が満たされると仮ＳＳＩＤの可変部を変更する。また
、端末装置１の仮接続制御部１２２は、記憶している仮ＳＳＩＤとその固定部が一致する
仮ＳＳＩＤが検知されると検知された仮ＳＳＩＤにより仮接続要求を行う。従って、仮接
続制御部１２２が起動されていない端末装置との不要な仮接続を切断でき、端末装置１と
の必要な仮接続を行うことができる。また、本無線通信システム１００では、変更された
仮ＳＳＩＤを用いた仮接続自体にユーザー操作が必要なくユーザー利便性が良い。
【００８１】
また、上記所定の条件は、プリンター２が表示するＰＩＮコードが端末装置１から送信
されないことを含み、すなわち、そのＰＩＮコードが人手によって端末装置１に入力され
ないことを含み、ユーザーが意識していない不要な仮接続を確実に切断することができる
。
【００８２】
また、このように不要な仮接続が排除され、プリンター２を利用しようとする端末装置
１とプリンター２との本接続が即座に行われるので、端末装置１からすぐにプリンター２
に印刷させることができるようになって、ユーザー利便性が向上する。
【００８３】
なお、本実施の形態例では、無線通信装置はプリンターであったが、本発明は、無線通
信機能を備える他の無線通信装置、例えば、スキャナー、プリンター複合機、プロジェク
ター等、に適用することができる。
【００８４】
なお、本実施形態に係る制御部２２、接続制御部２２２、本接続制御部２２３、仮接続
部制御部２２４、印刷制御部２２６等が実行する各種処理は、ＣＰＵにより実行されても
よいし、他の電子部品（例えばＡＳＩＣ）によって実行されてもよい。また、本実施形態
に係る制御部２２、接続制御部２２２、本接続制御部２２３、仮接続部制御部２２４、印
刷制御部２２６等が実行する各種処理は、複数のＣＰＵにより分散処理されてもよいし、
ＣＰＵと電子部品（例えばＡＳＩＣ）とが協働して動作することにより実行されてもよい
。
【００８５】
本発明の保護範囲は、上記の実施の形態に限定されず、特許請求の範囲に記載された発
明とその均等物に及ぶものである。
【符号の説明】
【００８６】
１…端末装置、２…プリンター、３…ＡＰ、１１…無線Ｉ／Ｆ部、１２…接続制御部、
１３…設定情報記憶部、２１…無線Ｉ／Ｆ部、２２…制御部、２３…ユーザーＩ／Ｆ部、
２４…印刷機構部、１００…無線通信システム、１２１…本接続制御部、１２２…仮接続
制御部、２２２…接続制御部、２２３…本接続制御部、２２４…仮接続制御部、２２５…
設定情報記憶部、２２６…印刷制御部。
【図１】
2018088572.tif 000003
【図２】
2018088572.tif 000004
【図３】
2018088572.tif 000005